(57)【要約】【課題】  棚をはじめとする各種の家具部材等の壁面部への取り付けやそれらの位置変更のための煩雑な作業を必要とせずに、しかも、地震等の揺れであってもその耐性（耐震性）も良好であって、家具部材等が脱落することを未然に防止することのできる新しい吊下げ支持係止構造を提供する。【解決手段】  壁面部(4)に配置固定された取り付けレール(2)の挿入溝部(21)に係止部が挿入されて係止される家具部材アダプター(3)が、その上端部において、取り付けレール(2)の挿入溝部(21)に挿入係止部(13)が係止されて装着される吊下げ支持係止具(1)の押さえ部(11)により上方より押さえられて安定支持されている構造とする。【選択図】図１
2005127051.tif 000002
【特許請求の範囲】
【請求項１】
壁面部に配置固定された取り付けレールの挿入溝部に係止部が挿入されて係止される家具部材アダプターが、その上端部において、取り付けレールの挿入溝部に挿入係止部が係止されて装着される吊下げ支持係止具の押さえ部により上方より押さえられて安定支持されていることを特徴とする吊下げ支持係止構造。
【請求項２】
取り付けレールはパネル材とともに壁面部に配置固定されており、吊下げ支持係止具には、取り付けレールよりも上方のパネル材に当接する当接部が備えられていることを特徴とする請求項１記載の吊下げ支持係止構造。
【請求項３】
取り付けレールまたは吊下げ支持係止具は、弾性を有していることを特徴とする請求項１または２に記載の吊下げ支持係止構造。
【請求項４】
取り付けレールの挿入溝部は、断面が下向き円弧状でその下端に挿入口が形成されており、この取り付けレールの挿入溝部に挿入される吊下げ支持係止具の挿入係止部は、その先端部が根元から上向きに形成されていることを特徴とする請求項１ないし３いずれかに記載の吊下げ支持係止構造。
【請求項５】
取り付けレールの挿入溝部は上下に複数設けられており、この複数の挿入溝部各々に挿入される複数の挿入係止部が吊下げ支持係止具に備えられていることを特徴とする請求項１ないし４いずれかに記載の吊下げ支持係止構造。
【請求項６】
取り付けレールの挿入溝部および吊下げ支持係止具の少なくとも一方には、互いに接する箇所に突起が配設されていることを特徴とする請求項１ないし５いずれかに記載の吊下げ支持係止構造。
【請求項７】
吊下げ支持係止具には、壁面部との間に隙間をもって、取り付けレールよりも下方に延設された手掛り部を有していることを特徴とする請求項１ないし６いずれかに記載の吊下げ支持係止構造。
【発明の詳細な説明】
【技術分野】
【０００１】
この出願の発明は、吊下げ支持係止構造に関するものである。さらに詳しくは、この出願の発明は、棚をはじめとする各種の家具部材等の壁面部への取り付けやそれらの位置変更のための作業が容易であって、しかも、地震等の揺れへの耐性（耐震性）も良好な、新しい吊下げ支持係止構造に関するものである。
【背景技術】
【０００２】
従来、室内の壁面部に棚や小物入れ等の家具部材を取り付ける際には、一般的に、ネジや釘による取り付け固定や接着剤を用いて接着取り付けが行なわれていた。しかしながら、ネジや釘による取り付け固定の場合は、その作業はもとより、取り付けた後の取り外しが容易ではなく、位置変更が面倒であるといった問題があった。
【０００３】
一方、接着剤による取り付けの場合は、接着剤が完全に硬化乾燥するまで家具類を使用することができず、また、ネジ等による取り付けの場合と同様に、取り外しが容易ではないため、取り付けた後の位置変更が面倒であるという問題があった。
【０００４】
このような問題の解決のため、たとえば、図１０に例示したような、木製パネル(ア)内に埋設された取り付け溝(イ)内に、家具部材を保持する掛止フック(ウ)に設けられた掛止爪(エ)を挿入係止する取り付け構造が提案されている（特許文献１）。この取り付け構造では、取り付け溝(イ)内に帯状補強型材(オ)を嵌め込んで、掛止爪(エ)を係止することができるようにしている。そして、この構造では、取り付け溝(イ)に沿ってのスライドによって、位置変更を容易として壁面部への家具部材の取り付けを実現している。
【特許文献１】実用新案登録第３０７０５７０号公報
【発明の開示】
【発明が解決しようとする課題】
【０００５】
しかしながら、図１０に例示したような取り付け構造の場合には、掛止爪(エ)を下方向から取り付け溝(イ)内へ挿入係止しているだけであるため、人や物等が軽く当たるだけでも掛止フック(ウ)が持ち上がってしまい、係止状態が解除されて、係止フック(ウ)が落下したり、あるいは、横方向にずれてしまう等の不都合が生じやすい。また、地震等の大きな揺れが生じた場合には、取り付け溝(イ)から係止フック(ウ)が抜け落ちるという懸念があり、耐震性に問題がある構造となっていた。
【０００６】
そこで、この出願の発明は、以上のとおりの事情に鑑みて、従来の問題点を解消して、棚をはじめとする各種の家具部材等の壁面部への取り付けやそれらの位置変更のための煩雑な作業を必要とせずに、しかも、地震等の揺れであってもその耐性（耐震性）も良好であって、家具部材等が脱落することを未然に防止することのできる新しい吊下げ支持係止構造を提供することを課題としている。
【課題を解決するための手段】
【０００７】
この出願の発明は、前記の課題を解決するものとして、第１に、壁面部に配置固定された取り付けレールの挿入溝部に係止部が挿入されて係止される家具部材アダプターが、その上端部において、取り付けレールの挿入溝部に挿入係止部が係止されて装着される吊下げ支持係止具の押さえ部により上方より押さえられて安定支持されていることを特徴とする吊下げ支持係止構造を提供する。
【０００８】
またこの出願の発明は、第２には、取り付けレールはパネル材とともに壁面部に配置固定されており、吊下げ支持係止具には、取り付けレールよりも上方のパネル材に当接する当接部が備えられていることを特徴とする吊下げ支持係止構造を提供する。第３には、取り付けレールまたは吊下げ支持係止具は、弾性を有していることを特徴とする吊下げ支持係止構造を、第４には、取り付けレールの挿入溝部は、断面が下向き円弧状でその下端に挿入口が形成されており、この取り付けレールの挿入溝部に挿入される吊下げ支持係止具の挿入係止部は、その先端部が根元から上向きに形成されていることを特徴とする吊下げ支持係止構造を、第５には、取り付けレールの挿入溝部は上下に複数設けられており、この複数の挿入溝部各々に挿入される複数の挿入係止部が吊下げ支持係止具に備えられていることを特徴とする吊下げ支持係止構造を提供し、第６には、取り付けレールの挿入溝部および吊下げ支持係止具の少なくとも一方には、互いに接する箇所に突起が配設されていることを特徴とする吊下げ支持係止構造を提供する。
【０００９】
さらに、この出願の発明は、第７には、吊下げ支持係止具には、壁面部との間に隙間をもって、取り付けレールよりも下方に延設された手掛り部を有していることを特徴とする吊下げ支持係止構造を提供する。
【発明の効果】
【００１０】
上記のとおりのこの出願の発明の第１の発明の吊下げ支持係止構造によれば、各種の家具部材等の壁面部への取り付けやそれらの位置変更のための作業が良好となり、しかも、地震等の揺れであってもその耐性（耐震性）も良好であって、家具部材等が脱落することを未然に防止することができる。
【００１１】
第２の発明によれば、壁面部と当接する当接部を吊下げ支持係止具に備えられることにより、吊下げ支持係止具は、さらに安定に支持係止され、その結果、家具部材アダプターも安定に支持係止される。
【００１２】
また、第３の発明によれば、吊下げ支持係止具は弾性を有していることで、取り付けレールの溝内への挿入係止の作業性を向上させることができる。
【００１３】
第４の発明によれば、取り付けレールの挿入溝部は、断面が下向き円弧状とし、吊下げ支持係止具の挿入係止部は、その先端部が根元から上向きに形成されていることにより、吊下げ支持係止具がさらに安定に取り付けレールに装着され、縦揺れや横揺れに関わらず、家具部材アダプターは安定に支持係止される。
【００１４】
第５の発明によれば、取り付けレールの上下に挿入溝部が複数設けられ、この挿入溝部それぞれに複数の挿入係止部を備えた吊下げ支持係止具を支持係止させることにより、より強固な吊下げ支持係止具の支持係止を実現することができ、その結果家具部材アダプターの耐震性がさらに向上する。
【００１５】
第６の発明によれば、取り付けレールの挿入溝部および吊下げ支持係止具の少なくとも一方に、互いに接する箇所に突起を配設されていることにより、摩擦係数が大きくなり、より安定な支持係止を実現することができる。
【００１６】
そして、第７の発明によれば、吊下げ支持係止具に手掛り部を形成することにより、吊下げ支持係止具の取り外しの作業効率が、向上することとなる。
【発明を実施するための最良の形態】
【００１７】
この出願の発明は、上記のとおりの特徴をもつものであるが、以下に、添付した図面に沿って、この出願の発明の実施形態について詳細かつ具体的に説明する。
【００１８】
図１は、この出願の発明の一実施形態を模式的に例示した側断面図である。図２は、図１の実施形態の全体を模式的に例示した正面図である。
【００１９】
図１に例示したとおり、この吊下げ支持係止構造は、パネル材(41)等によって構成されている壁面部(4)にネジ等のビス(42)により配置固定された取り付けレール(2)に家具部材アダプター(3)とともに吊下げ支持係止具(1)が、着脱自在に支持係止されている。すなわち、家具部材アダプター(3)には、取り付けレール(2)の挿入溝部(21)に挿入する係止部(図示せず)が備えられ、この係止部が挿入されて係止されている。そして、このような家具部材アダプター(3)は、その上端部において、取り付けレール(2)の挿入溝部(21)に挿入係止部(13)が係止されて装着される吊下げ支持係止具(1)の押さえ部(11)により上方より押さえられることにより、安定支持されていることを特徴とする支持係止構造としている。また、図２に例示したように、吊下げ支持係止具(1)を家具部材アダプター(3)の左右の上角部近傍それぞれに支持係止することにより、家具部材アダプター(3)を上方から押さえるだけでなく、左右から挟持することもできるため、安定、かつ、強固に家具部材アダプター(3)を支持係止することができる。このような支持係止構造とすることにより、家具部材アダプター(3)等の壁面部(4)への取り付けや位置変更のための取り付けレール(2)等の特殊加工や取り外し作業等、煩雑な作業を施す必要がなくなる。しかも、手や体が触れた際の振動や衝撃はもちろん、地震等のような大きな揺れへの耐性（耐震性）をも良好とし、家具部材アダプター等の落下等を未然に防止することができる。
【００２０】
なお、この出願の発明における家具部材アダプター(3)は、その大きさや形状、種類等は特に限定されるものではない。たとえば、図１の例の家具部材アダプター(3)は、パネル材(41)に沿って下方に向かって形成されているが、棚板等のようにパネル材(41)に対して直角に形成し、水平としたものでもよい（図示せず）。また、図２の家具部材アダプター(3)には、開口部(31)が設けられているが必要に応じて、この開口部(31)に挿入する挿入片（図示せず）を有したフック部材(図示せず)や棚部材(図示せず)等を取り付けることができる。
【００２１】
もちろん、この出願の発明は、家具部材アダプター(3)が家具部材(図示せず)と一体となったものでも適用することができる。
【００２２】
また図１に例示したように、取り付けレール(2)は、パネル材(41)とともに壁面部(4)に配置固定されている。そして、吊下げ支持係止具(1)には、取り付けレール(2)よりも上方のパネル材(41)に当接する当接部(12)が備えられているため、この当接部(12)をパネル材(41)と当接させることにより、より安定に吊下げ支持係止具(1)を支持係止することができる。
【００２３】
なお、図３は、これら図１および２に例示した吊下げ支持係止具を模式的に例示した斜視図である。
【００２４】
また、この出願の発明において使用される取り付けレール(2)、または、吊下げ支持係止具(1)（特に挿入係止部(13)、後述の第２挿入係止部）、は、弾性を有していることにより、挿入係止部(13)の挿入溝部(21)への挿入係止が容易となり、作業性を向上させることができる。弾性を有する材質は、特に限定されるものではないが、たとえば、ゴム材やシリコン材等を挙げることができる。このとき、たとえば、壁面部(4)に配設されている取り付けレール(2)がゴム材やシリコン材等の弾性を有する材質で構成されている場合には、吊下げ支持係止具(1)は、弾性を有する材質で構成する必要はない。すなわち、既存の取り付けレール(2)の材質や形状等を勘案して、適宜に吊下げ支持係止具(1)の形状を変更して使用することができる。
【００２５】
さらにこの出願の発明の支持係止構造では、図１や３に例示したように、取り付けレール(2)の挿入溝部(21)の形状は、断面下向き円弧状に形成し、その下端に挿入口が形成されている。また、この取り付けレールの挿入溝部(21)に挿入される吊下げ支持係止具(1)の挿入係止部(13)の形状は、この取り付けレール(2)の挿入溝部(21)と適合する形状に形成されている。すなわち、挿入係止部(13)の形状は、その先端部が根元から上向きに形成されている。これにより、吊下げ支持係止具(1)は、より確実に取り付けレール(2)に装着される。
【００２６】
図４は、この出願の発明の別の実施形態を例示した側断面図である。図４に例示した吊下げ支持係止具構造および吊下げ支持係止具(1)は、基本的な特徴は、上記の図１、２および３にて説示したとおりである。
【００２７】
ただ、図４の例では、取り付けレール(2)の挿入溝部(21)は上下に２つ設けられており、また、吊下げ支持係止具(1)には、この２つの挿入溝部(21)(22)それぞれに挿入される２つの挿入係止部(13)(14)が備えられている点で異なっている。もちろん、取り付けレール(2)の挿入溝部(21)(22)やこの挿入溝部(21)(22)に挿入される吊下げ支持係止具(1)の挿入係止部(13)(14)の数は、この図４の例では、それぞれ２つとして例示しているが、特に制限されるものではない。このような支持係止構造とすることにより、さらに安定な支持係止を実現することができ、その結果家具部材アダプターの耐震性がさらに向上し、揺れや振動等による落下および脱落等を防止することができる。
【００２８】
なお、表１は、この図４に例示した吊下げ支持係止具(1)を使用した吊下げ支持係止構造における家具部材アダプター(3)が脱落に至る荷重（単位は、kg）を検査した結果を示している。横幅（W）が３００mmまたは４７０mmの家具部材アダプター(3)を用意し、この家具部材アダプター(3)それぞれについて、吊下げ支持係止具(1)を使用した場合と従来例として使用しない場合との比較検査を実施した。
【００２９】
結果は、表１に示したとおりであり、吊下げ支持係止具(1)を使用した吊下げ支持係止構造は、従来と比べてより大きな荷重にも耐え得る安定な吊下げ支持係止構造であることを確認することができた。
【００３０】
【表１】
2005127051.tif 000003
そして、図５に例示した吊下げ支持係止具(1)は、図１や図３および４に例示した吊下げ支持係止具(1)の挿入係止部(13)より短く形成されている実施形態を例示した側断面図である。この場合には、取り付けレール(2)の挿入溝部(21)および吊下げ支持係止具(1)の少なくとも一方に、互いに接する箇所に突起(15)が配設されることにより、摩擦係数が大きくなり、揺れや振動等に対してさらに強い支持係止を実現することができるため、好ましい。もちろん、挿入係止部(13)が複数ある場合には、少なくとも一つの挿入係止部(13)に突起(15)を配設することによっても、安定な支持係止を実現することができる。たとえば、図６のように、取り付けレール(2)に設けられた第２の挿入溝部(22)に挿入される吊下げ支持係止具(1)の第２挿入係止部(14)には、突起(15)が設けられている。
【００３１】
図７は、図６の吊下げ支持係止具を例示した側面図である。
【００３２】
この図７に例示した吊下げ支持係止具(1)の特徴は、取り付けレール(2)の断面が円弧状の挿入溝部(21)に挿入される、同じく断面円弧状の挿入係止部(13)を有し、さらなる安定な支持係止のため挿入係止部(13)の上部に第２挿入係止部(14)が設けられ、さらにまたこの第２挿入係止部(14)の先端には突起(15)が設けられている。
【００３３】
なお、図８は、図７の吊下げ支持係止具を例示した背面図である。
【００３４】
もちろん、この出願の発明における吊下げ支持係止具(1)の形状等は、特に限定されるものではない。たとえば、図９は、さらに別の実施形態を例示した側面図である。この図９に例示したとおり、挿入係止部(13)および第２挿入係止部(14)は突起状とし、さらにその先端それぞれに突起(15)が設けられた形状としてもよい。
【００３５】
さらにまた、図１から９に例示したとおり、この出願の発明の構造に使用する吊下げ支持係止具(1)には、壁面部(4)との間に隙間をもって、取り付けレール(2)よりも下方に延設された手掛り部(16)が設けられている。これにより、家具部材アダプター(3)の移動等の位置変更に伴う吊下げ支持係止具(1)の取り外し等の際には、この隙間に手指を挿しこんで手掛り部(16)に引掛けることにより、簡便に吊下げ支持係止具(1)を取り外すことができる。
【産業上の利用可能性】
【００３６】
以上詳しく説明したとおり、この出願の発明によって、棚をはじめとする各種の家具部材等の壁面部への取り付けやそれらの位置変更のための煩雑な作業を必要とせずに、しかも、地震等の揺れであってもその耐性（耐震性）も良好であって、家具部材等が脱落することを未然に防止することのできる新しい吊下げ支持係止構造が提供される。
【図面の簡単な説明】
【００３７】
【図１】この出願の発明の一実施形態を例示した側断面図である。
【図２】図１の実施形態を例示した正面図である。
【図３】図１および２の実施形態における吊下げ支持係止具を例示した斜視図である。
【図４】この出願の発明の別の実施形態を例示した側断面図である。
【図５】この出願の発明のさらに別の実施形態を例示した側断面図である。
【図６】この出願の発明のさらにまた別の実施形態を例示した側断面図である。
【図７】図６の吊下げ支持係止具を例示した側面図である。
【図８】図７の吊下げ支持係止具を例示した背面図である。
【図９】別の吊下げ支持係止具の形状を例示した側面図である。
【図１０】従来の壁面への掛止めフックの取り付け構造を例示した縦断面図である。
【符号の説明】
【００３８】
1  吊下げ支持係止具
11  押さえ部
12  当接部
13  挿入係止部
14  第２挿入係止部
15  突起
2  取り付けレール
21、22  挿入溝部
3  家具部材アダプター
31  開口部
4  壁面部
41  パネル材
42  ビス
ア  木製パネル
イ  取り付け溝
ウ  掛止フック
エ  掛止爪
オ  帯状補強型材
【図１】
2005127051.tif 000004
【図２】
2005127051.tif 000005
【図３】
2005127051.tif 000006
【図４】
2005127051.tif 000007
【図５】
2005127051.tif 000008
【図６】
2005127051.tif 000009
【図７】
2005127051.tif 000010
【図８】
2005127051.tif 000011
【図９】
2005127051.tif 000012
【図１０】
2005127051.tif 000013